(57)【要約】【課題】ユーザの存在を検出するためのセンサを搭載した表示装置や情報処理装置において、ユーザのオフィス環境に左右されずに正確にユーザの在席や離席を把握できるようにする。【解決手段】表示装置は、対象物に向けて光を発する発光部及び発光部から発せられ対象物に反射した光の受光量を検出する受光部が表示画面の下部に設けられ、発光部は、光の発する角度を表示装置の設置面に対して上方に傾け、かつ、傾けて発せられた光が対象物に反射した後に受光部の検出可能な範囲内に収まるように設置されている。【選択図】図６
2012078444.tif 000002
【特許請求の範囲】
【請求項１】
対象物に向けて光を発する発光部及び前記発光部から発せられ対象物に反射した光の受光量を検出する受光部が表示画面の下部に設けられ、
前記発光部は、光の発する角度を表示装置の設置面に対して上方に傾け、かつ、前記傾けて発せられた光が対象物に反射した後に前記受光部の検出可能な範囲内に収まるように設置されていることを特徴とする表示装置。
【請求項２】
前記発光部は、光を発する発光手段と、前記発光手段により発せられた光を通過させるレンズと、を有し、
前記レンズは、前記発光手段からの光が出射していく面が斜めに欠切されていることを特徴とする請求項１に記載の表示装置。
【請求項３】
前記レンズは、表示装置の設置面に対して上方の側縁が逆方向の側縁より長くなるように、前記発光手段からの光が出射していく面が斜めに欠切されていることを特徴とする請求項２に記載の表示装置。
【請求項４】
前記発光部は、光を発する発光手段と、前記発光手段により発せられた光を通過させるレンズと、を有し、
前記発光手段及び前記レンズは、前記発光手段により発せられ前記レンズを通過した光が対象物に反射した後に前記受光部の検出可能な範囲内に収まるように、表示装置の設置面に対して上方に傾けて設置されていることを特徴とする請求項１に記載の表示装置。
【請求項５】
前記発光部は、前記受光部の検出可能な範囲を表す検出角度の半分の角度から、前記発光部により発せられる光の範囲を表す放射角度の半分の角度を差し引いた分の角度だけ、表示装置の設置面に対して上方に傾けて設置されていることを特徴とする請求項１から４のいずれか１項に記載の表示装置。
【請求項６】
請求項１から５のいずれか１項に記載の表示装置を備えることを特徴とする情報処理装置。
【発明の詳細な説明】
【技術分野】
【０００１】
本発明は、表示装置及び情報処理装置に関し、特に、ユーザの存在を検出するためのセンサを搭載した表示装置や情報処理装置の省電力機能に好ましく適用される技術に関するものである。
【背景技術】
【０００２】
近年のエコロジーの観点から、ＰＣ、携帯電話機、テレビ等の電子機器において省電力機能を搭載するものが多くなってきている。この省電力機能の主要なものとしては、ユーザが電子機器を使用していないときの消費電力を下げるというものがある。例えばＰＣでいうと、一定時間入力がないとまず画面オフとなり、さらに一定時間入力がないとサスペンド状態となる。
【０００３】
上記ＰＣの例で述べた省電力機能は、現在多くのＰＣで標準的に装備されている一般的なものである。この現状の省電力機能では、ＯＳがユーザの入力操作を監視し、入力操作状態に応じて省電力モード（画面オフ、サスペンド状態）への移行、標準モード（画面オン）への復帰を行う。また、省電力モードへの移行時間を設定し、設定時間の間ユーザの入力操作がなかったとき省電力モードに移行し、ユーザの入力操作を検出した時点で標準モードに復帰する。
【０００４】
ところが、ユーザにとっては入力操作を行っていなくても作業中である場合（表示されている内容の読み込み、入力しようとする内容の考案等）があり、入力操作の有無のみをトリガとして省電力モードへの移行を行うことは、ユーザの操作状況の実態にそぐわない。入力操作がない間はなるべく省電力モードにしようとして設定時間を短くした場合、ユーザにとって作業中であるにもかかわらず頻繁に省電力モードに移行してしまい煩わしい。また、省電力モードから通常モードへの復帰するための入力操作が必要でユーザによっては面倒な場合もある。
【０００５】
これに対して、最近では、ユーザの存在を検出するためのセンサ（例えば赤外線センサ等）を搭載したモニタ等の電子機器が登場してきている。このような電子機器では、センサの検出結果に応じて、ユーザが機器の近くにいない（離席している）ときは省電力モードに移行し、ユーザが機器の近くにいる（在席している）ときは標準モードに復帰する。また、このモード切り替えによれば、入力中のみならず入力中でない場合も含めたユーザの端末操作（作業中）のみ標準モードとし、それ以外は省電力モードとすることもでき、また標準モードへの復帰に入力操作が不要となる。
【０００６】
ところで、例えば特許文献１には、ユーザを検出する赤外線センサの誤動作を防止するための技術が開示されている。特許文献１で開示されたセンサ装置は、発光部及び受光部の光路側に透過性のカバーを設け、少なくとも、このカバーの発光部と受光部との間にあるとされる部位に対して層状の赤外線吸収層を設けることで、カバーの内部を導光する散乱光を赤外線吸収層により吸収して、受光部に取り込まれる散乱光を低減するようにしている。
【先行技術文献】
【特許文献】
【０００７】
【特許文献１】特開２００１−１９４２３２号公報
【発明の概要】
【発明が解決しようとする課題】
【０００８】
ユーザの存在を検出するためのセンサは、図１に示すようにモニタの表示画面の下部に設けられることが多い（ここでは赤外線センサ）。これは、電源ボタンやヘッドフォン入力端子等が配置されるのが一般にモニタの表示画面下部であり、これらの近辺に設けるのがデザイン上や機能上の観点から合理的なためである。
【０００９】
赤外線センサは、赤外線を発するセンサ用ＬＥＤと反射した赤外線を検出するセンサとからなり、図２に示すように、センサ用ＬＥＤの赤外線放射角度とセンサの反応角度が異なる。これら赤外線放射角度及び反応角度は、図２のように上面から見た場合でも、図４や５のように側面から見た場合でも同様である（図の例では上面から見ても側面から見ても赤外線放射角度は約３６°、反応角度は約６０°となっている）。
【００１０】
表示画面からユーザまでの距離を約８０ｃｍ、ユーザの高さを机上から約５０ｃｍとした場合、理想的には図４に示すように、センサの最適な実装位置はディスプレイ面の中央（長手方向の中央で、かつ、短手方向の中央（机上約２５ｃｍの位置））である。この場合、センサ用ＬＥＤの発した赤外線はユーザにのみ反射し、ユーザの存在を正確に検出できる。しかし、上記位置への実装は、表示画面があって現実点には不可能である。
【００１１】
つまり、現実的には、図１に示すような表示画面下部の位置にセンサを配置するしかない。この場合、図５に示すように、センサを机上から約８ｃｍの高さに実装することになり、センサ用ＬＥＤの発した赤外線は、ユーザのみならず、ユーザより手前（ディスプレイ側）の机上にあるキーボードにも反射し、ユーザの存在を正確に検出することができない（実際にはユーザが離席している場合にも、センサはキーボードに反射した赤外線に反応してしまう）。
【００１２】
引用文献１の発明は、発光部で発せられて対象物に反射した赤外線を受光する際の、センサ装置内部において発生する散乱光を低減するものであり、発光部からの赤外線が反射する対象物がユーザであろうと、ユーザ以外（キーボード、マウス等）であろうと影響を受けない。つまり、図５に示すような場合であっても、センサ装置内部に発生する散乱光を低減しつつ、結果的にはキーボードに反射した赤外線に反応して受光量の検出を行うため、ユーザの存在を正確に検出することができないという問題の解決にはなり得ない。
【００１３】
そこで、本発明は、ユーザの存在を検出するためのセンサを搭載した表示装置や情報処理装置において、ユーザのオフィス環境に左右されずに正確にユーザの在席や離席を把握できるようにすることを目的とする。
【課題を解決するための手段】
【００１４】
本発明の一側面である表示装置は、対象物に向けて光を発する発光部及び発光部から発せられ対象物に反射した光の受光量を検出する受光部が表示画面の下部に設けられ、発光部は、光の発する角度を表示装置の設置面に対して上方に傾け、かつ、傾けて発せられた光が対象物に反射した後に受光部の検出可能な範囲内に収まるように設置されている。
【００１５】
本発明の表示装置は、上記の表示装置において、発光部が、光を発する発光手段と、発光手段により発せられた光を通過させるレンズと、を有し、レンズが、発光手段からの光が出射していく面が斜めに欠切されているものであってもよい。
【００１６】
本発明の表示装置は、上記の表示装置において、レンズが、表示装置の設置面に対して上方の側縁が逆方向の側縁より長くなるように、発光手段からの光が出射していく面が斜めに欠切されているものであってもよい。
【００１７】
本発明の表示装置は、上記の表示装置において、発光部が、光を発する発光手段と、発光手段により発せられた光を通過させるレンズと、を有し、発光手段及びレンズが、発光手段により発せられレンズを通過した光が対象物に反射した後に受光部の検出可能な範囲内に収まるように、表示装置の設置面に対して上方に傾けて設置されているものであってもよい。
【００１８】
本発明の表示装置は、上記の表示装置において、発光部が、受光部の検出可能な範囲を表す検出角度の半分の角度から、発光部により発せられる光の範囲を表す放射角度の半分の角度を差し引いた分の角度だけ、表示装置の設置面に対して上方に傾けて設置されているものであってもよい。
【００１９】
本発明の一側面である情報処理装置は、上記の表示装置を備えるものである。
【発明の効果】
【００２０】
本発明によれば、ユーザの存在を検出するためのセンサを搭載した表示装置や情報処理装置において、ユーザのオフィス環境に左右されずに正確にユーザの在席や離席を把握することが可能となる。
【図面の簡単な説明】
【００２１】
【図１】本発明の実施形態に係るＰＣの外観図（正面図）である。
【図２】本発明の実施形態に係るＰＣに搭載される赤外線センサの構成図（上面図）である。
【図３】本発明の実施形態における赤外線の放射角度及びセンサの反応角度の説明図（上面図）である。
【図４】理想的なセンサ実装位置における赤外線の放射角度及びセンサの反応角度の説明図（側面図）である。
【図５】従来のセンサ実装位置における赤外線の放射角度及びセンサの反応角度の説明図（側面図）である。
【図６】本発明の実施形態における赤外線の放射角度及びセンサの反応角度の説明図（側面図）である。
【図７】本発明の実施形態（第１）に係るＰＣに搭載される赤外線センサ（発光部）の構成図である。
【図８】本発明の実施形態（第２）に係るＰＣに搭載される赤外線センサ（発光部）の構成図である。
【発明を実施するための形態】
【００２２】
以下、本発明の実施形態について図面を参照しながら説明する。
【００２３】
［第１実施形態］
図１は、本発明の第１実施形態に係るＰＣの外観を示した正面図である。本実施形態のＰＣ１は、ディスプレイ部と本体部とが一体になったデスクトップパソコンで、表示画面の下部における電源ボタン等の配置領域に、ユーザの存在を検出するための赤外線センサが設けられている。当該赤外線センサは、赤外線を発光する発光部２０と対象物に反射した赤外線を受光する受光部１０からなる。
【００２４】
図２は、本実施形態に係るＰＣに搭載される赤外線センサの構成を示した上面図である。発光部２０は、赤外線を発射するセンサ用ＬＥＤ２１と、センサ用ＬＥＤ２１が発射した赤外線を通過させ集光するＬＥＤ用レンズ２２と、を有して構成される。受光部１０は、ＬＥＤ用レンズ２２を透過して対象物（例えばユーザ）に反射した赤外線を通過させ集光するセンサ用レンズ１２と、センサ用レンズ１２で集光された赤外線の受光量を検出するセンサ１１と、を有して構成される。なお、本実施形態では、受光部１０、発光部２０とも、センサ１１やセンサ用ＬＥＤ２１とレンズとをハウジングに取り付けて一体化して構成されているが、センサ、ＬＥＤ、レンズが一体でなくともよい。
【００２５】
本実施形態において、図３に示すように、発光部２０のセンサ用ＬＥＤ２１が発する赤外線の放射角度（以下、ＬＥＤ放射角度という）は約３６°であり、受光部１０のセンサ１１が受光量を検出することが可能な角度（以下、センサ反応角度という）は約６０°である。ＬＥＤ放射角度は、図３のように上面から見た角度のみならず、図５に示すように側面から見た角度も約３６°であり、センサ用ＬＥＤ２１の対向面に垂直な中心線から約１８°の傾きで、センサ用ＬＥＤ２１の設置点を中心に１周（３６０°）回転させたときの範囲といえる。センサ反応角度についても同様のことがいえる。
【００２６】
図１に示した赤外線センサの実装位置では図５に示したような問題があり、これを解決するために、本発明では、図６に示すように、発光部２０のセンサ用ＬＥＤ２１によるＬＥＤ放射角度を、キーボードにかからず（赤外線がキーボードに反射させず）、かつ、センサ反応角度内に収まる（反射した赤外線を受光部１０のセンサ１１が検出できる）ように、ＰＣ１の設置面から上方に傾けている。
【００２７】
ＬＥＤ放射角度を具体的にどの程度上方に傾けるかは、ＬＥＤ放射角度やセンサ反応角度によるが、センサ反応角度の半分の角度からＬＥＤ放射角度の半分の角度を差し引いた分の角度だけ、ＰＣ設置面から上方に傾けることが可能である。
【００２８】
図５を用いて説明する。ここでは前提として、センサ用ＬＥＤ２１及びセンサ１１は、ＰＣ設置面に対して垂直な面（表示画面の下部）に配置されており、センサ用ＬＥＤ２１及びセンサ１１の対向面に垂直な中心線はＰＣ設置面と略平行で各中心線は略一致しているものとする。本実施形態の場合、ＬＥＤ放射角度が約３６°であることから赤外線の放射される角度の上限（図中の赤外線放射範囲の上方限界）は中心線から約１８°であり、センサ反応角度が約６０°であることからセンサが検出可能な反射赤外線の角度の上限（図中のセンサ反応範囲の上方限界）は中心線から約３０°である。
【００２９】
そして、約３０°（センサ反応角度の半分の角度）から約１８°（ＬＥＤ放射角度の半分の角度）を差し引いた約１２°が、ＬＥＤ放射角度をＰＣ設置面の上方に傾けることのできる角度であり、図６に示すように、約１２°だけＬＥＤ放射角度を傾けたとしても、ＬＥＤ放射角度はセンサ反応角度の範囲内にあるため、センサ１１はユーザに反射した赤外線を検出することが可能である。また、ＬＥＤ放射角度を約１２°上方に傾けたため、ユーザ手前のキーボードに赤外線が反射せずに済む。
【００３０】
図７は、本実施形態に係るＰＣに搭載される赤外線センサ（発光部）の構成図である。本実施形態では、上述したように、センサ用ＬＥＤ２１とＬＥＤレンズ２２とをハウジングに取り付けて一体化して発光部２０を構成しており、図５に示すように、センサ用ＬＥＤ２１の照射方向がＰＣ設置面と略平行となるように発光部２０が設けられている。
【００３１】
そして、図６に示すようにＬＥＤ放射角度をＰＣ設置面の上方に傾けるために、本実施形態では、発光部２０（センサ用ＬＥＤ２１、ＬＥＤレンズ２２及びこれらを取り付けたハウジング）を、ＬＥＤ放射角度を傾斜させたい分だけ上方に傾けて、ＰＣ１（表示画面の下部）に設置するようにしている。
【００３２】
本実施形態によれば、センサ用ＬＥＤ２１及びＬＥＤレンズ２２を取り付けたハウジング全体を傾斜させてＰＣ１に設置しているため、センサ用ＬＥＤ２１やＬＥＤレンズ２２について角度をつけるための細かい微調整を個々に行う必要がない。
【００３３】
［第２実施形態］
本発明の第２実施形態は、第１実施形態とは異なる構成の発光部２０を備えている。ＬＥＤ放射角度をＰＣ設置面の上方に傾けるため、第１実施形態では発光部全体を傾斜させていたが、第２実施形態ではＬＥＤレンズ２２の形状に変更を加え、同レンズを出射する赤外線がＰＣの上方に傾くようにしている。
【００３４】
図８は、本実施形態に係るＰＣに搭載される赤外線センサ（発光部）の構成図である。本実施形態において、第１実施形態と同様に、発光部２０はセンサ用ＬＥＤ２１とＬＥＤレンズ２２とをハウジングに取り付けて一体化されているが、本実施形態特有の構成は、ＬＥＤレンズ２２の形状である。
【００３５】
本実施形態では、ＬＥＤレンズ２２の下方の側縁（側面の辺）が上方の側縁より短くなるように所定の角度をつけて、ＬＥＤレンズ２２における赤外線出射側のレンズ面をカットする。本実施形態においては、センサ用ＬＥＤ２１の照射角度をＰＣの上方に約１２°傾けるために、約２０°の角度をつけて赤外線出射側のレンズ面をカットしている。すなわち、カット前の赤外線出射側レンズ面とカット後の赤外線出射側レンズ面のなす角度が約２０°となる。なお、用いるＬＥＤレンズ２２の形状が上記のように第１実施形態と違うだけで、ハウジングへの取り付けは同様である（第１実施形態では、取り付けた後に発光部全体を傾けている）。
【００３６】
本実施形態によれば、発光部全体を傾けることなくセンサ用ＬＥＤ２１の照射角度を傾斜させることができることから、第１実施形態と比較して、表示装置の厚さをより薄くすることができ、装置の小型化が実現可能となる。また、ＬＥＤレンズ２２の一方の面について所定の角度だけ削切すればよく、設計変更のインパクトも小さくて済む。
【００３７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。例えば、上述した一体型デスクトップパソコンのほか、ディスプレイ部と本体部が分離したタワー型パソコンにおける表示装置にも本発明を適用することができる。
【符号の説明】
【００３８】
１    ＰＣ
１０    受光部
１１    センサ
１２    センサ用レンズ
２０    発光部
２１    センサ用ＬＥＤ
２２    ＬＥＤ用レンズ
【図１】
2012078444.tif 000003
【図２】
2012078444.tif 000004
【図３】
2012078444.tif 000005
【図４】
2012078444.tif 000006
【図５】
2012078444.tif 000007
【図６】
2012078444.tif 000008
【図７】
2012078444.tif 000009
【図８】
2012078444.tif 000010